(57)【要約】      （修正有）【課題】狭小スペースに設置するのに好適であり、またスペースに応じて複数のライン状照明具を任意に連結・分離可能であって、しかも長尺直線状に連結しても安定的に設置することが可能なライン状照明具を提供する。【解決手段】細長い箱状に形成された筐体２と、この筐体２内に収容される複数のＬＥＤ３１を長手方向に沿って略直線状に通電可能に配置してなるＬＥＤ基板３と、前記筐体２の上面を塞ぐ透明ないし半透明の蓋体４とを有するライン状照明具１であって、前記筐体２の一端面には凸状に形成されるとともに電気的接触による通電が可能な凸状端子５と、前記筐体２の他端面には他のライン状照明具１の凸状端子５を嵌脱自在な凹状に形成されているとともに電気接触による通電が可能な凹状端子とを有しており、前記凸状端子５と前記凹状端子とを嵌合させることによって複数のライン状照明具１を直線状に通電接続される。【選択図】図１
0003150185.tif 000002
【実用新案登録請求の範囲】
【請求項１】
細長い箱状に形成された筐体と、この筐体内に収容される複数のＬＥＤを長手方向に沿って略直線状に通電可能に配置してなるＬＥＤ基板と、前記筐体の上面を塞ぐ透明ないし半透明の蓋体とを有するライン状照明具であって、前記筐体の一端面には凸状に形成されるとともに電気的接触による通電が可能な凸状端子と、前記筐体の他端面には他のライン状照明具の凸状端子を嵌脱自在な凹状に形成されているとともに電気接触による通電が可能な凹状端子とを有しており、前記凸状端子と前記凹状端子とを嵌合させることによって複数のライン状照明具を直線状に通電接続されるライン状照明具。
【請求項２】
請求項１において、前記筐体の底面は、長手方向に水平な水平底面と、この水平底面の長手方向両側辺から鈍角をもって斜め上方に形成された２つの傾斜底面とを備えており、前記筐体の側面、前記水平底面および前記傾斜底面のうち少なくともいずれかの面で安定的に設置されるライン状照明具。
【考案の詳細な説明】
【技術分野】
【０００１】
本考案は、複数のライン状照明具同士を直線状に通電接続可能なライン状照明具に関するものである。
【背景技術】
【０００２】
従来、照明具は各種提案されているところであるが、なかでも発光ダイオード（Light Emitting Diode：以下「ＬＥＤ」という）は、同程度の照明能力を有する蛍光灯等と比較して、省スペースで省電力に優れており、さらに寿命が長いという特徴を有するため、照明具としても利用されている。
【０００３】
例えば、特開２００１−１９５９０５号公報では、交流電流源を直流に変換する電源部と、高輝度の白色光発光ダイオードチップ２０個から６０個を円形放射状に基板に取り付けた照明ユニットからなる照明部とで構成された白色光照明具が提案されている（特許文献１）。特許文献１によると、当該白色光照明具は、電源部と照明部とを分離したことにより、必要照度に応じて、照明ユニットの取り付け個数を増減でき、かつ入力電源が、交流と直流の両方に、スイッチ１個の切り替えで使用できるとされている。
【先行技術文献】
【特許文献】
【０００４】
【特許文献１】特開２００１−１９５９０５号公報
【考案の概要】
【考案が解決しようとする課題】
【０００５】
しかしながら、特許文献１に記載された考案においては、照明ユニット間の配線には専門の技術を必要としており、一般の人が設置するのは困難であるという問題がある。また、当該照明ユニットは複数の白色光発光ダイオードからなり、所定の幅を有するため、天井と壁の間の角部やショーケース内等の狭小スペースに設置するのには不向きである。
【０００６】
本考案は、このような問題点を解決するためになされたものであって、狭小スペースに設置するのに好適であり、またスペースに応じて複数のライン状照明具を任意に連結・分離可能であって、しかも長尺直線状に連結しても安定的に設置することが可能なライン状照明具を提供することを目的としている。
【課題を解決するための手段】
【０００７】
本考案に係るライン状照明具は、細長い箱状に形成された筐体と、この筐体内に収容される複数のＬＥＤを長手方向に沿って略直線状に通電可能に配置してなるＬＥＤ基板と、前記筐体の上面を塞ぐ透明ないし半透明の蓋体とを有するライン状照明具であって、前記筐体の一端面には凸状に形成されるとともに電気的接触による通電が可能な凸状端子と、前記筐体の他端面には他のライン状照明具の凸状端子を嵌脱自在な凹状に形成されているとともに電気接触による通電が可能な凹状端子とを有しており、前記凸状端子と前記凹状端子とを嵌合させることによって複数のライン状照明具を直線状に通電接続される。
【０００８】
また、本考案の一態様として、前記筐体の底面は、長手方向に水平な水平底面と、この水平底面の長手方向両側辺から鈍角をもって斜め上方に形成された２つの傾斜底面とを備えており、前記筐体の側面、前記水平底面および前記傾斜底面のうち少なくともいずれかの面で安定的に設置されてもよい。
【考案の効果】
【０００９】
本考案によれば、狭小スペースに設置するのに好適であり、またスペースに応じて複数のライン状照明具を任意に連結・分離可能であって、しかも長尺直線状に連結しても安定的に設置できる。さらに、底面部の多面状に構成する態様によれば、照射方向を変えるニーズにも対応できる。
【図面の簡単な説明】
【００１０】
【図１】本考案に係るライン状照明具の実施形態を示す全体斜視図である。
【図２】本考案に係るライン状照明具の実施形態を示す正面図である。
【図３】本考案に係るライン状照明具の実施形態を示す平面図である。
【図４】図３の４Ｘ−４Ｘ線断面図である。
【図５】図２の５Ｘ−５Ｘ線断面図である。
【図６】図２の６Ｘ−６Ｘ線断面図である。
【図７】本考案に係るライン状照明具を連結した場合の使用状態を示す斜視図である。
【考案を実施するための形態】
【００１１】
以下、本考案に係るライン状照明具の実施形態について図面を用いて説明する。図１は本実施形態のライン状照明具１を示す全体斜視図である。また、図２は本実施形態のライン状照明具１の正面図、図３はその平面図である。
【００１２】
本実施形態のライン状照明具１は、主として、図１から図５に示すように、照明部品を収容する筐体２と、この筐体２内に配置されるＬＥＤ基板３と、前記筐体２の上部に被せられる透明ないし半透明の蓋体４と、前記ＬＥＤ基板３に連結されるとともに前記筐体２の一端面に設けられる凸状端子５と、前記ＬＥＤ基板３に連結されるとともに前記筐体２の他端面に設けられる凹状端子６とから構成される。
【００１３】
以下、本実施形態のライン状照明具１における各構成について詳細に説明する。
【００１４】
本実施形態における筐体２は、ＬＥＤ基板３を収容可能な細長い箱状に形成されており、その両端面には凸状端子５および凹状端子６を設ける貫通孔２１が形成されている。また、本実施形態における筐体２の底面は、図２および図６に示すように、長手方向に水平な水平底面２２と、この水平底面２２の長手方向両側辺から鈍角をもって斜め上方に起ち上げられた２つの傾斜底面２３，２３とを有している。この傾斜底面２３，２３の斜度は、設置場所や用途に応じて任意に定めてよく、特に限定されないが、例えば本実施形態では左右対称に約１３５°に形成している。なお、前記筐体２の底面は筐体２とは別体に構成し、底面の形状に応じて適宜、交換できるように構成してもよい。
【００１５】
本実施形態におけるＬＥＤ基板３は、電気基板であり、複数のＬＥＤ３１を長手方向に沿って略直線状に配置している。このＬＥＤ基板３は、配置されたＬＥＤ３１の発光方向が筐体２の上方を向くように筐体２内に収容されてネジにより固定されている。なお、ＬＥＤ基板３と筐体２との固定方法は特に限定されず、接着剤による接着等から適宜選択されるものである。また、ＬＥＤ３１の個数は特に限定されるものではないが、個数が多い方がその特徴を活かしやすく、本実施形態では１つのライン状照明具１につき５個のＬＥＤ３１が並べられている。
【００１６】
本実施形態におけるＬＥＤ３１は、電球色のＬＥＤが用いられるが、特に限定されるものではなく、用途に応じて赤や青等の任意の有色ＬＥＤを適宜選択してもよい。
【００１７】
本実施形態における蓋体４は、筐体２の上面を覆う大きさを有しており、透明ないし半透明のプラスチック樹脂により形成されている。この蓋体４は、ＬＥＤ３１の光を透過可能であれば、任意に着色されていてもよい。また、蓋体４の形状は横断面が半円状の蒲鉾型に形成されているが、これに限定されるものではなく、適宜変更してよい。
【００１８】
本実施形態における凸状端子５は、略円筒状の通電プラグであり、筐体２の一端面の貫通孔２１から外側へ向かって貫通されて凸設されている。本実施形態における凸状端子５には、中心部に連結孔５１が形成されており、横断面が略リング状に構成されている。そして、その内周面５２および外周面５３が電気的接触による通電を可能としており、本実施形態においては、例えば内周面５２を＋配線とし、外周面５３を−配線として前記ＬＥＤ基板３に通電可能に接続されている。また、凸状端子５が設けられる筐体２の端部内には、前記凸状端子５の基端部を支持するストッパー２４が設けられている。このストッパー２４は、凸状端子５が連結時に軸方向へ押し込まれた際に入り込んだり、抜けたりしないように支えるためのものである。
【００１９】
本実施形態における凹状端子６は、筐体２の前記凸状端子５が設けられた端面とは反対側の端面に設けられている。前記凹状端子６は、円形凹状に形成された端子の中心部に連結ピン６１が立設されており、その横断面が略リング状に構成されている。そして、連結ピン６１および内周面６２が電気接触による通電を可能としており、本実施形態においては、連結ピン６１を＋配線とし、内周面６２を−配線として前記ＬＥＤ基板３に配線されている。この連結ピン６１は前記凸状端子５の連結孔５１に挿入され、内周面６２は前記凸状端子５の外周面５３を嵌合させて電気的に接触させることにより他のライン状照明具１に通電可能に連結される。
【００２０】
なお、凸状端子５および凹状端子６とＬＥＤ基板３との配線は、上記配線に限定されるものではなく、それぞれの配線の＋と−とを逆に配線してもよい。
【００２１】
次に、本実施形態のライン状照明具１の各構成の作用について説明する。
【００２２】
本実施形態における凹状端子６には、例えばコンセントに接続された電源から延びる電源ジャックが差し込まれ、電力が供給される。この供給される電力により、ＬＥＤ基板３に配置されたＬＥＤ３１が点灯する。
【００２３】
なお、本実施形態における電源には、コンセントからの交流電圧を２４ボルトまたは１２ボルトの定圧直流電力に変換する直交変換装置が用いられているが、特に限定されるものではなく乾電池等のバッテリーを用いてもよい。
【００２４】
複数のライン状照明具１を連結する場合には、図７に示すように、一方の凸状端子５を他方の凹状端子６に嵌入し、電気的に接触されて通電が可能とする。これにより、凸状端子５の＋配線と凹状端子６の＋配線とが通電されるとともに、凸状端子５の−配線と凹状端子６の−配線とが通電されて各ライン状照明具１が並列接続され、ＬＥＤ３１が点灯する。
【００２５】
すなわち、本実施形態における凸状端子５および凹状端子６は、連結するライン状照明具１の間の連結機構としての機能を有するのみならず、電気的接触による通電を行う端子としての機能を有している。
【００２６】
なお、最終端の凸状端子５には、図７に示すような塩化ビニルで作成した防塵用のキャップ７が着脱自由に嵌合されている。
【００２７】
つぎに、本実施形態の水平底面２２および傾斜底面２３，２３からなる底面の効果について説明する。
【００２８】
本実施形態のライン状照明具１は、左右各側面２５，２５、水平底面２２および傾斜底面２３，２３を適宜、利用して設置される。例えば、本実施形態のライン状照明具１を天井と壁との角部分に約４５°下方に向けて設置する場合、一方の傾斜底面２３を天井に当接させ、かつ他方の傾斜底面２３を壁に当接させる。また、本実施形態のライン状照明具１を天井に沿った方向に向けて設置する場合は、水平底面２２と側面とをそれぞれ壁と天井に当接させればよい。もちろん、二面で設置する必要はなく、側面２５、水平底面２２、傾斜底面２３，２３のいずれか一面で設置すればよい。
【００２９】
このように本実施形態において筐体２の左右側面２５，２５および各底面２２，２３を使用すれば、安定的に設置することができる。また、任意の傾斜角度の傾斜底面２３を備えたものと交換することにより、任意の角度に設置することも可能である。
【００３０】
また、筐体２は細長く形成されているため、デットスペースとなりやすい天井と壁との角部分やショーケース内の角部分に設置し易い。
【００３１】
以上のような本実施形態のライン状照明具１によれば、以下の効果を得ることができる。
１．複数のライン状照明具１を凸状端子５と凹状端子６との連結構造を採用することにより、通電接続することができる。
２．ライン状照明具１とライン状照明具１との間に配線の必要がないため多数のライン状照明具１を簡単に連結することができ、かつ適宜、長さを調節することができる。
３．傾斜底面２３，２３により設置場所に応じた照射方向のバリエーションを増やすことができる。
４．筐体２が細長いため角部分などの狭小スペースであってもデザインしやすく、簡単に設置できる。
【００３２】
なお、本考案に係るライン状照明具１は、前述した実施形態に限定されるものではなく、適宜変更することができる。
【００３３】
例えば、連結部分が抜けるのを防止するため、筐体２の各端面にマグネットを設けて、連接する端面同士を磁着させるように構成してもよい。
【００３４】
また、凸状端子５の外周面５３に溝を設けるとともに、凹状端子６の内周面６２に内側方向へ凸出された突起を設けることにより、凸状端子５が凹状端子６に挿入されると、突起が溝に嵌って外れにくくなるように構成してもよい。
【符号の説明】
【００３５】
１  ライン状照明具
２  筐体
３  ＬＥＤ基板
４  蓋体
５  凸状端子
６  凹状端子
７  キャップ
２１  貫通孔
２２  水平底面
２３  傾斜底面
２４  ストッパー
２５  側面
３１  ＬＥＤ
５１  連結孔
５２  内周面（凸状端子）
５３  外周面
６１  連結ピン
６２  内周面（凹状端子）
【図１】
0003150185.tif 000003
【図２】
0003150185.tif 000004
【図３】
0003150185.tif 000005
【図４】
0003150185.tif 000006
【図５】
0003150185.tif 000007
【図６】
0003150185.tif 000008
【図７】
0003150185.tif 000009